(57)【要約】      （修正有）【課題】シャーシに主要構成部品を組み付けてユニット化した状態でディスクの中心と光ピックアップとの相対的なずれを調整できるようにする。【解決手段】光ピックアップ２は、光ピックアップ可動機構により、シャーシ８に対して左右方向にスライド自在に組み込まれる。光ピックアップ２を案内する一方のガイドシャフト３ｂに調整ねじ１５を当接させ、この調整ねじ１５によりガイドシャフト３ａ，３ｂと、そのガイドシャフト３ａ，３ｂ間に架設した光ピックアップ２を左右方向Ｘにスライドさせる。これにより、ディスクの中心と光ピックアップ２の相対的なずれが生じた場合、調整可能となる。【選択図】図１
2008004193.tif 000002
【特許請求の範囲】
【請求項１】
回転するディスクの記録面に対して半径方向に平行移動して情報の記録再生を行う光ピックアップと、この光ピックアップの平行移動を案内する一対のガイドシャフトと、前記ディスクを載置して回転駆動するターンテーブルと、前記ガイドシャフトと前記ターンテーブルを組み付けるためのシャーシとを備えた光ピックアップを備えたディスク装置において、前記ターンテーブルに載置したディスクの中心に対する光ピックアップの移動軌跡を調整する調整手段を前記シャーシに備えたことを特徴とする光ピックアップを備えたディスク装置。
【請求項２】
前記調整手段が、前記シャーシに組み付けたガイドシャフトと光ピックアップをシャーシに対して左右方向にスライド可能とする光ピックアップ可動機構と、前記ガイドシャフトと当接させて前記光ピックアップを含むガイドシャフトをディスクの中心に対して左右方向にスライドさせる調整ねじとを備えたことを特徴とする請求項１記載の光ピックアップを備えたディスク装置。
【請求項３】
前記調整ねじをガイドシャフトと水平方向において直交する方向に螺着したことを特徴とする請求項２記載の光ピックアップを備えたディスク装置。
【請求項４】
前記調整ねじの軸部の一部に前記ガイドシャフトの側部外周に突き当てるテーパ面を形成し、そのテーパ面を前記ガイドシャフトの側部外周に当接させるように前記調整ねじを前記ガイドシャフトに対して垂直方向に螺着したことを特徴とする請求項２記載の光ピックアップを備えたディスク装置。
【請求項５】
前記調整手段が、前記ディスクを載置するターンテーブルをピックアップに対して左右方向にスライド可能とするターンテーブル可動機構と、少なくとも前記ターンテーブル可動機構によって前記ターンテーブルに載置したディスクに対する光ピックアップの移動軌跡を調整した状態で前記ターンテーブルを固定する固定手段とを設けたことを特徴とする請求項１記載の光ピックアップを備えたディスク装置。
【発明の詳細な説明】
【技術分野】
【０００１】
本発明は、ＡＶ（Ａｕｄｉｏ  Ｖｉｓｕａｌ）機器やパソコン（Ｐｅｒｓｏｎａｌ  Ｃｏｍｐｕｔｅｒ）などに用いられるＤＶＤ、ＣＤやＭＤなどのディスクの記録面に対して半径方向に平行移動して情報の記録再生を行う光ピックアップを備えたディスク装置、特に、光ピックアップの移動を案内するガイドシャフトとディスクとの相対的な位置調整が可能な光ピックアップを備えたディスク装置に関する。
【背景技術】
【０００２】
一般にディスクなどの記録媒体へ情報の記録再生を行う光ピックアップを備えたディスク装置においては、回転するディスクの記録面に対して半径方向に光ピックアップを平行移動させ、光ピックアップによって情報の記録又は再生を行うものであり、一般的にこの種の光ピックアップにおいては、シャーシに組み込んだ一対のガイドシャフトに沿ってディスクに向かって平行移動している。しかし、シャーシに組み込まれるガイドシャフトやディスクを回転駆動するターンテーブルなど組付け精度のバラツキなどによって、図９（ａ）に示すように、光ピックアップの移動軌跡ＳがディスクＤの中心Ｐに対して左右の何れか一方に平行にずれたり、図９（ｂ）に示すように、交叉方向にずれた場合（図９中、破線で示す）、トラッキング誤差が生じる。このような、ディスクＤの中心Ｐと光ピックアップとの相対的なずれ（オフセット）によって生じるトラッキング誤差信号を生成し、ディスクに対する光ピックアップの位置を調整する方法として、例えば、特許文献１には、回折格子によりグレーティングにより形成されるメインビーム、先行サブビームおよび後行サブビームからなる３つのビームを用いて、差動プッシュプル（ＤＰＰ）方式により、トラッキング誤差信号を生成することで、このトラッキング誤差信号に基づいて光ピックアップの調整を行う方法が開示されている。しかし、特許文献１には、シャーシに光ピックアップを組み込んだ状態でディスクＤの中心Ｐと光ピックアップとの相対的なずれ（オフセット）を補正する具体的手段が示されていない。なお、この種の光ピックアップの調整方法の一つとして例えば特許文献２には、光ピックアップの移動を案内するガイドシャフトの位置調整法が開示されている。
【０００３】
【特許文献１】特開２００３−１８７５３８号公報
【特許文献２】特開２００２−２６０３４９号公報
【発明の開示】
【発明が解決しようとする課題】
【０００４】
従来、シャーシに光ピックアップを組み込んだ状態でメカ的に調整する方法としては、特許文献２に示すような光ピックアップの高さ調整が可能な調整方法は知られているが、このような調整方法は、光ピックアップの高さ調整することを目的とするものであって、図９（ａ）（ｂ）に示すようにディスクＤの中心Ｐに対する光ピックアップの移動軌跡Ｓのずれを調整するのに有効な手段はない。特に、シャーシにガイドシャフトを含む光ピックアップやディスクを回転駆動するターンテーブルを組み込んだ場合、ディスクＤの中心Ｐに対する光ピックアップの移動軌跡Ｓのずれを調整する有効的な方法がないため、その調整作業が煩雑で、作業効率の悪いものであった。
【０００５】
そこで本発明は、前記課題に鑑みてなされたものであり、シャーシにガイドシャフトを含む光ピックアップやディスクを回転駆動するターンテーブルを組み込んでユニット化した状態でディスクの中心に対する光ピックアップの相対的なずれを簡単に調整することができる光ピックアップを備えたディスク装置を提供することを目的とする。
【課題を解決するための手段】
【０００６】
請求項１の光ピックアップを備えたディスク装置は、回転するディスクの記録面に対して半径方向に平行移動して情報の記録再生を行う光ピックアップと、この光ピックアップの平行移動を案内する一対のガイドシャフトと、前記ディスクを載置して回転駆動するターンテーブルと、前記ガイドシャフトと前記ターンテーブルを組み付けるためのシャーシとを備えた光ピックアップを備えたディスク装置において、前記ターンテーブルに載置したディスクの中心に対する光ピックアップの移動軌跡を調整する調整手段を前記シャーシに備えたことを特徴とする。
【０００７】
請求項１の構成により、光ピックアップがガイドシャフトに沿って回転するディスクの記録面に対して半径方向に平行移動して情報の記録再生を行う。この時、ターンテーブル上に載置したディスクの中心と光ピックアップとに相対的なずれが生じた場合、シャーシに備えた調整手段により、ディスクの中心に対する光ピックアップのずれが調整可能となる。
【０００８】
請求項２の光ピックアップを備えたディスク装置は、請求項１記載の光ピックアップを備えたディスク装置は、前記調整手段が、前記シャーシに組み付けたガイドシャフトと光ピックアップをシャーシに対して左右方向にスライド可能とする光ピックアップ可動機構と、前記ガイドシャフトと当接させて前記光ピックアップを含むガイドシャフトをディスクの中心に対して左右方向にスライドさせる調整ねじとを備えたことを特徴とする。
【０００９】
請求項２の構成により、調整ねじにより、シャーシに組み込んだガイドシャフトを左右方向にスライドさせることでガイドシャフトに組み込まれた光ピックアップの位置をスライドさせて、ディスクの中心に対する光ピックアップのずれが調整可能となる。
【００１０】
請求項３の光ピックアップを備えたディスク装置は、請求項２記載の光ピックアップを備えたディスク装置において、前記調整ねじをガイドシャフトと水平方向において直交する方向に螺着したことを特徴とする。
【００１１】
請求項３の構成により、調整ねじを締め付けると、調整ねじの先端がガイドシャフトに突き当たり、調整ねじの締め付け量に応じてガイドシャフトに組み込まれた光ピックアップが左右方向に移動し、ガイドシャフトに組み込まれたディスクの中心に対する光ピックアップの位置調整が可能となる。
【００１２】
請求項４の光ピックアップを備えたディスク装置は、請求項２記載の光ピックアップを備えたディスク装置において、前記調整ねじの軸部の一部に前記ガイドシャフトの側部外周に突き当てるテーパ面を形成し、そのテーパ面を前記ガイドシャフトの側部外周に当接させるように前記調整ねじを前記ガイドシャフトに対して垂直方向に螺着したことを特徴とする。
【００１３】
請求項４の構成により、調整ねじを締め付けると、調整ねじのテーパ面がガイドシャフトに突き当たり、調整ねじの締め付け量に応じてガイドシャフトに組み込まれた光ピックアップが左右方向に移動し、ガイドシャフトに組み込まれたディスクの中心に対する光ピックアップの位置調整が可能となる。
【００１４】
請求項５の光ピックアップを備えたディスク装置は、請求項１記載の光ピックアップを備えたディスク装置において、前記調整手段が、前記ディスクを載置するターンテーブルをピックアップに対して左右方向にスライド可能とするターンテーブル可動機構と、少なくとも前記ターンテーブル可動機構によって前記ターンテーブルに載置したディスクに対する光ピックアップの移動軌跡を調整した状態で前記ターンテーブルを固定する固定手段とを設けたことを特徴とする。
【００１５】
請求項５の構成により、シャーシに組み込んだターンテーブルを左右方向にスライドさせた後、固定することでガイドシャフトに組み込まれる光ピックアップに対するターンテーブルの位置調整が可能となる。
【発明の効果】
【００１６】
請求項１の光ピックアップを備えたディスク装置によれば、回転するディスクの記録面に対して半径方向に平行移動して情報の記録再生を行う光ピックアップと、この光ピックアップの平行移動を案内する一対のガイドシャフトと、前記ディスクを載置して回転駆動するターンテーブルと、前記ガイドシャフトと前記ターンテーブルを組み付けるためのシャーシとを備えた光ピックアップを備えたディスク装置において、前記ターンテーブルに載置したディスクの中心に対する光ピックアップの移動軌跡を調整する調整手段を前記シャーシに備えたものであるから、シャーシに組み込まれる調整手段により、シャーシにガイドシャフトを含む光ピックアップやディスクを回転駆動するターンテーブルを組み込んでユニット化した状態でディスクの中心に対する光ピックアップの相対的なずれを簡単に調整することができる。
【００１７】
請求項２の光ピックアップを備えたディスク装置によれば、請求項１記載の光ピックアップを備えたディスク装置は、前記調整手段が、前記シャーシに組み付けたガイドシャフトと光ピックアップをシャーシに対して左右方向にスライド可能とする光ピックアップ可動機構と、前記ガイドシャフトと当接させて前記光ピックアップを含むガイドシャフトをディスクの中心に対して左右方向にスライドさせる調整ねじとを備えたものであるから、シャーシに組み込んだガイドシャフトをスライドさせることで、ディスクの中心に対する光ピックアップの相対的なずれを簡単に調整することができる。
【００１８】
請求項３の光ピックアップを備えたディスク装置によれば、請求項２記載の光ピックアップを備えたディスク装置において、前記調整ねじをガイドシャフトと水平方向において直交する方向に螺着したものであるから、調整ねじによってガイドシャフトに組み込んだ光ピックアップの位置をスライドさせてディスクの中心に対する光ピックアップの相対的なずれを簡単に調整することができる。
【００１９】
請求項４の光ピックアップを備えたディスク装置によれば、請求項２記載の光ピックアップを備えたディスク装置において、前記調整ねじの軸部の一部に前記ガイドシャフトの側部外周に突き当てるテーパ面を形成し、そのテーパ面を前記ガイドシャフトの側部外周に当接させるように前記調整ねじを前記ガイドシャフトに対して垂直方向に螺着したものであるから、調整ねじによってガイドシャフトに組み込んだ光ピックアップの位置をスライドさせてディスクの中心に対する光ピックアップの相対的なずれを簡単に調整することができるとともに、調整ねじをガイドシャフトに対して垂直となるようにシャーシに螺着することによって、シャーシに占める調整ねじの取付スペースを少なく抑えることができるので、シャーシを他の構成部品の取付スペースとして有効利用できる。
【００２０】
請求項５の光ピックアップを備えたディスク装置によれば、請求項１記載の光ピックアップを備えたディスク装置において、前記調整手段が、前記ディスクを載置するターンテーブルをピックアップに対して左右方向にスライド可能とするターンテーブル可動機構と、少なくとも前記ターンテーブル可動機構によって前記ターンテーブルに載置したディスクに対する光ピックアップの移動軌跡を調整した状態で前記ターンテーブルを固定する固定手段とを設けたものであるから、シャーシに組み込んだターンテーブルをスライドさせることで、ガイドシャフトに組み込まれた光ピックアップに対してターンテーブルの位置をスライドさせてターンテーブルに載置されるディスクの中心と光ピックアップとの相対的なずれを簡単に調整することができる。
【発明を実施するための最良の形態】
【００２１】
以下、本発明を実施するための最良の形態としての実施例を図１及び図２により以下に説明する。もちろん、本発明は、その発明の趣旨に反さない範囲で、実施例において説明した以外のものに対しても容易に適用可能なことは説明を要するまでもない。
【実施例１】
【００２２】
図１は実施例１を示すトラバースユニットの平面図、図２は調整ねじの部分を拡大した正面図である。同図に示すように、トラバースユニット１は、光ピックアップ２と、この光ピックアップ２を平行移動する左右一対のガイドシャフト３ａ，３ｂ、ディスク（図示せず）を載置するターンテーブル４、このターンテーブルを回転駆動するスピンドルモータ５、前記ガイドシャフト３に沿って光ピックアップ２を往復動させるための駆動モータ６及びこの駆動モータ６の回転を光ピックアップ２に伝達するギア機構７などを主要構成部品とし、これら主要構成部品を金属製のシャーシ８に組み付けてユニット化している。
【００２３】
前記シャーシ８に組み込まれる光ピックアップ２は、光ピックアップ可動機構により、シャーシ８に対して左右方向にスライド自在に組み込まれており、その光ピックアップ可動機構について説明する。光ピックアップ２を案内する前記各ガイドシャフト３ａ，３ｂは、相互に平行となるようにシャーシ８に組み付けられており、その一方のガイドシャフト３ａは、その両端部がシャーシ８に切り起こし形成された支持片９，９に軸支され、他方のガイドシャフト３ｂは、その一端部が前記ガイドシャフト３ａと同様、支持片９に軸支されているが、他端部は前記シャーシ８にインサート成形などによって固定された合成樹脂などからなる支持台１０上に載置されている（図２参照）。前記支持片９には、前記ガイドシャフト３ａの両端及びガイドシャフト３ｂの一端をスライド自在に保持する長孔（図示せず）が形成され、支持片９に軸支されるガイドシャフト３ａ，３ｂは、支持片９に形成される長孔と支持台１０に沿って図１及び図２において左右方向Ｘにスライド可能に組み込まれる。また、前記シャーシ８には前記各ガイドシャフト３ａ，３ｂの両端を上方から押圧するトーションばね１１が組み込まれており、このトーションばね１１によって各ガイドシャフト３ａ，３ｂを前記支持片９の長孔及び支持台１０にそれぞれ押し付けることによって各ガイドシャフト３ａ，３ｂを位置決め保持している。このようにしてシャーシ８に組み込まれるガイドシャフト３ａ，３ｂに保持された光ピックアップ２がシャフト３ａ，３ｂに沿って摺動可能に取り付けられている。そして、ターンテーブル４に載置したディスクをスピンドルモータ５の駆動によって回転し、前記シャフト３ａ，３ｂで案内された光ピックアップ２を駆動モータ６とギア機構７とによって、ディスクの半径方向に平行移動させ、ディスクへの記録再生を行う。
【００２４】
次ぎに本発明における調整手段について説明する。図２に示すように、支持台１０で支持されるガイドシャフト３ｂの端部に位置して前記シャーシ８に調整ねじ１５を螺着するための折り曲げ片１６がシャーシ８から切り起こし形成されている。前記調整ねじ１５は、螺子部１５ａの先端部を前記ガイドシャフト３ｂの側部外周に突き当てるように、ガイドシャフト３ｂに対して直交するように折り曲げ片１６に螺着され、この調整ねじ１５を回すことで左右のガイドシャフト３ａ，３ｂと、このガイドシャフト３ａ，３ｂ間に架設した光ピックアップ２が支持片９に形成される長孔と支持台１０に沿って左右方向Ｘにスライドする。これにより、トラバースユニット１の主要構成部品をシャーシ８に組み付けてユニット化した状態で一方のガイドシャフト３ｂを調整ねじ１５によって左右方向Ｘにスライドさせることで、ガイドシャフト３ａ，３ｂに沿って移動する光ピックアップ２の移動軌跡がディスクの中心となるターンテーブル４の中心Ｐに対して左右の何れか一方に平行にずれたり、交叉方向にずれが生じた場合、そのずれを簡単に補正することができる。なお、シャーシ８に対して左右方向Ｘにスライド自在に組み付けられるガイドシャフト３ａ，３ｂは、前述したようにトーションばね１１によって位置決め保持され、調整ねじ１５による調整後において左右方向Ｘに変動することなく位置規制される。また、支持台１０に支持される一方のガイドシャフト３ｂの他端側には、前記調整ねじ１５と反対側に位置してガイドシャフト３ｂと当接するストッパ１７がシャーシ８に固定され、ガイドシャフト３ｂの他端側において、ガイドシャフト３ｂは、調整ねじ１５とストッパ１７及びトーションばね１１によって位置決め保持される。すなわち、ガイドシャフト３ｂの他端側は、調整ねじ１５とストッパ１７とでは左右方向に挟まれた状態で保持され、調整ねじ１５を締め付けると、ガイドシャフト３ｂの他端はストッパ１７に押し付けされるが、ストッパ１７は弾性変形可能な合成樹脂などによって形成され、かつ、ガイドシャフト３ｂを含む光ピックアップ２の左右方向Ｘの調整量は１００μ程度であり、ガイドシャフト３ｂの他端はストッパ１７に突き当たったとしてもストッパ１７が弾性変形して光ピックアップ２の調整には、実質的に影響はない。
【００２５】
以上のように、本実施例において、トラバースユニット１の主要構成部品をシャーシ８に組み付けてユニット化した状態でガイドシャフト３ｂを調整ねじ１５によって左右方向Ｘにスライドさせることで、左右のガイドシャフト３ａ，３ｂに沿って移動する光ピックアップ２の移動軌跡がディスクの中心となるターンテーブル４の中心Ｐに対して平行にずれたり、交叉方向にずれが生じた場合、そのずれを簡単に補正することができる。これにより、トラッキング誤差の小さく信頼性の高いディスク装置を提供することができる。
【実施例２】
【００２６】
次に、図３〜図５により実施例２について説明する。図３は実施例２を示すトラバースユニットの平面図、図４及び図５は調整ねじの部分を拡大した正面図である。なお、本実施例においては、前記実施例１と調整ねじの構成が異なる以外、同一であり、前記実施例１と共通機能を有する部分には同一符号を付し、異なる部分についてのみ説明する。
【００２７】
前記実施例１では、ガイドシャフト３ｂと調整ねじ１５とが同一高さに位置して水平方向において直交させた例を示したが本実施例においては、調整ねじ２５の軸部２５ａにテーパ面２６を形成し、そのテーパ面２６をガイドシャフト３ｂの外周に突き当てるようにガイドシャフト３ｂに対して垂直となるように、シャーシ８に螺着している。また、シャーシ８に調整ねじ２５を螺着する際、図４に示すように、シャーシ８の表面側から螺着しても図５に示すようにシャーシ８の裏面側から螺着するようにしてもよい。このように、調整ねじ２５に形成するテーパ面２６をガイドシャフト３ｂに当接させた状態でシャーシ８に螺着することにより、前記実施例１と同様、トラバースユニット１の主要構成部品をシャーシ８に組み付けてユニット化した状態でガイドシャフト３ｂを調整ねじ１５によって左右方向Ｘにスライドさせることで、左右のガイドシャフト３ａ，３ｂに沿って移動する光ピックアップ２の移動軌跡がディスクの中心となるターンテーブル４の中心Ｐに対して左右の何れか一方に平行にずれたり、交叉方向にずれが生じた場合、そのずれを簡単に補正することができる。さらに、本実施例においては、調整ねじ２５をガイドシャフト３ｂに対して垂直となるようにシャーシ８に螺着することによって、前記実施例１のように水平方向において、ガイドシャフト３ｂと調整ねじ１５が直交する場合に比べて、シャーシ８に占める調整ねじ２５の取付スペースを少なく抑えることができるので、シャーシ８を他の構成部品の取付スペースとして有効利用できる。
【実施例３】
【００２８】
次に、図６及び図７により実施例３について説明する。図６は実施例３を示す一部を省略したトラバースユニットの平面図、図７は調整ねじの部分を拡大した正面図である。なお、本実施例においては、前記各実施例と共通機能を有する部分には同一符号を付し、異なる部分についてのみ説明する。
【００２９】
前記各実施例では、光ピックアップ可動機構により、ガイドシャフト３ａ，３ｂに組み込んだ光ピックアップ２をシャーシ８に対して左右方向にスライド自在とした例について説明したが、本実施例では、光ピックアップ２に対してディスクを載置するターンテーブル４側をシャーシ８に対して左右方向にスライドさせており、そのターンテーブル可動機構について説明する。本実施例においては、図６及び図７に示すように、ターンテーブル４を駆動するスピンドルモータ５が取付板３０に固定されている。この取付板３０には一対の長孔３１が形成され、この長孔３１に位置決め手段としてのシャーシ８に形成する位置決めピン３２と、固定手段としてシャーシ８に螺着する固定ねじ３３とを挿入している。これにより、シャーシ８に形成する位置決めピン３２とシャーシ８に固定される固定ねじ３３がスピンドルモータ５の取付板３０に形成する長孔３１の範囲内で移動自在となり、スピンドルモータ５に取り付けたターンテーブル４がシャーシ８に対して左右方向にスライド自在に組み込まれる。また、前記シャーシ８に切り起こし形成する折り曲げ片３４には調整ねじ３５が螺着され、この調整ねじ３５の先端が前記ターンテーブル４の取付板３０に形成した受け片３６に突き当てる。さらに、調整ねじ３５の反対側には調整ねじ３５の先端にターンテーブル４の取付板３０を押し付けるためのバネ３７が設けられ、このバネ３７によって、常にターンテーブル４の取付板３０が調整ねじ３５に押し付けられる。したがって、前記固定ねじ３３を仮止めした状態で折り曲げ片３４に螺着する調整ねじ３５を回すことによって、ターンテーブル４がシャーシ８に対して左右方向Ｘにスライドし、光ピックアップ２の移動軌跡とターンテーブル４の中心Ｐとが一致するように調整した後、固定ねじ３３を締め付けてターンテーブル４を固定する。これにより、前記各実施例と同様、トラバースユニット１の主要構成部品をシャーシ８に組み付けてユニット化した状態で調整ねじ３５によって光ピックアップ２の移動軌跡がディスクの中心となるターンテーブル４の中心Ｐに対して左右の何れか一方に平行にずれたり、交叉方向にずれが生じた場合、そのずれを簡単に補正することができる。
【００３０】
以上、本実施例を詳述したが、本発明の要旨の範囲内で種々の変形実施が可能である。例えば、実施例３において、前記ターンテーブル４をスライドさせる調整ねじ３５を設けた例を示したが、図８に示すように、調整ねじ３５を省略し、最低限、ターンテーブル４の取付板３０に長孔３１を形成し、この長孔３１内に挿入されるシャーシ８に形成する位置決めピン３２と、固定手段としてシャーシ８に螺着する固定ねじ３３とがあれば、固定ねじ３３によってターンテーブル４を仮止めした状態でターンテーブル４をスライドさせてターンテーブル４の位置調整を行った後、固定ねじ３３によりターンテーブル４を強固に固定すればよい。このように、ターンテーブル可動機構や光ピックアップ可動機構の構成は前記実施例に限定されるものはない。また、調整手段としてシャーシ８に螺着した調整ねじを用いた例を示したが、調整ねじ以外でもガイドシャフトあるいはターンテーブルに作用させてガイドシャフトあるいはターンテーブルをスライドさせる構成であればよい。
【図面の簡単な説明】
【００３１】
【図１】本発明の実施例１を示すトラバースユニットの平面図である。
【図２】同上、調整ねじの部分を拡大した正面図である。
【図３】本発明の実施例２を示すトラバースユニットの平面図である。
【図４】同上、調整ねじの部分を拡大した正面図であり、シャーシの表面側から調整ねじを螺着した場合を示している。
【図５】同上、調整ねじの部分を拡大した正面図であり、シャーシの裏面側から調整ねじを螺着した場合を示している。
【図６】本発明の実施例３を示す一部を省略したトラバースユニットの平面図である。
【図７】同上、トラバースユニットの正面図である。
【図８】同上、ターンテーブル可動機構の変形例を示す一部を省略したトラバースユニットの平面図である。
【図９】従来例を示すディスクと光ピックアップとの位置関係を示す概略説明図である。
【符号の説明】
【００３２】
２    光ピックアップ
３ａ，３ｂ    ガイドシャフト
４    ターンテーブル
８    シャーシ
１５，２５，３５    調整ねじ
２６    テーパ面
３１    長孔
３２    ピン（位置決め手段）
３３    固定ねじ（固定手段）
【図１】
2008004193.tif 000003
【図２】
2008004193.tif 000004
【図３】
2008004193.tif 000005
【図４】
2008004193.tif 000006
【図５】
2008004193.tif 000007
【図６】
2008004193.tif 000008
【図７】
2008004193.tif 000009
【図８】
2008004193.tif 000010
【図９】
2008004193.tif 000011